(57)【要約】  【課題】本発明は、利用者が選曲したカラオケ楽曲が予約待ち行列にしたがってカラオケ演奏されるカラオケシステムに関し、予約楽曲全体のうちの所定楽曲を一括に演奏対象として特定可能とすると共に、利用者の歌唱意思を即座に反映させることができ、しかもこれらを既存のツールで可能とすることを目的とする。  【解決手段】マイクＩＤ「Ａ」〜「Ｄ」が関連付けられたマイク１５Ａ〜１５Ｄが配置され、予約楽曲登録手段３５においてマイクＩＤ「Ａ」〜「Ｄ」が附帯されて選択された楽曲が予約待ち行列２４Ａに登録される一方で、使用マイク判別手段３１が使用状態のマイク１５Ａ〜１５Ｄを検出して当該マイクのマイクＩＤ「Ａ」〜「Ｄ」を判別し、演奏楽曲特定手段２７が予約待ち行列２４Ａにおける当該判別されたマイクＩＤ「Ａ」〜「Ｄ」が附帯された楽曲を演奏対象とさせる構成とする。  【選択図】  図１
2008250125.tif 000002
【特許請求の範囲】
【請求項１】
利用者が選曲したカラオケ楽曲が予約待ち行列にしたがってカラオケ演奏されるカラオケシステムであって、
前記カラオケ楽曲の歌唱に使用される所定数のマイクにはマイクＩＤが関連付けられたものであり、
予約楽曲登録手段、使用マイク判別手段及び演奏楽曲特定手段を有し、
前記予約楽曲登録手段は、前記マイクＩＤが附帯されて選択された楽曲を前記予約待ち行列に登録し、
前記使用マイク判別手段は、使用状態の前記マイクを検出して当該マイクのマイクＩＤを判別し、
前記演奏楽曲特定手段は、前記予約待ち行列における前記判別されたマイクＩＤが附帯された楽曲を演奏対象とさせる、
ことを特徴とするカラオケシステム。
【請求項２】
請求項１記載のカラオケシステムであって、前記使用マイク判別手段は、配置されたマイク入力端子にそれぞれ接続された前記マイクの通電の有無により使用状態のマイクを検出して当該マイクのマイクＩＤを判別することを特徴とするカラオケシステム。
【請求項３】
請求項１記載のカラオケシステムであって、前記使用マイク判別手段は、前記マイクが使用状態となったときに送信される搬送波の周波数を検出して当該マイクのマイクＩＤを判別することを特徴とするカラオケシステム。
【発明の詳細な説明】
【技術分野】
【０００１】
本発明は、利用者が選曲したカラオケ楽曲が予約待ち行列にしたがってカラオケ演奏されるカラオケシステムに関する。
【背景技術】
【０００２】
近年、カラオケシステムは、ハードディスク装置にカラオケ楽曲のカラオケデータが多数曲分蓄積されており、演奏予約を受けとると待ち行列に登録し、リクエスト入力の順番に読み出して処理していくのが一般的である。利用者は得意とする楽曲をシステム利用毎に歌唱する傾向にあり、予約楽曲の中でも簡易に利用者の意に沿う楽曲を演奏させることが利用者の便に資することとなる。
【０００３】
従来、カラオケシステムにおける演奏予約に関して、利用者が順次演奏予約していき、リクエスト順に演奏開始すると、予約者（歌唱者）が歌唱順番を把握していないと演奏時に席を離れて不在となる場合もある。そこで、予約者の在、不在を演奏予約の楽曲毎に認識することで予約者の在席時に確実に演奏開始させる、以下の特許文献等で知られている。すなわち、上記特許文献１には、カラオケ装置が楽曲を演奏する直前にその楽曲を予約したパーソナル携帯情報端末が近くにあること、換言すればその楽曲を予約した人がその場にいることを確認し、不在時には演奏をしないという技術が開示されている。
【０００４】
【特許文献１】特許第３５７３４２２号公報
【発明の開示】
【発明が解決しようとする課題】
【０００５】
しかしながら、上記特許文献１のものは、演奏対象の楽曲が演奏される直前に予約者の存在の確認を行うことから演奏するか否かの対象が当該楽曲に止まり、予約楽曲全体に対して一括に演奏させるか否かを判断することができないと共に、演奏させないとした楽曲を一括で復活させることができないという問題がある。また、予約者が確認された場合に当該予約者自身が歌唱を欲しなくなったときであっても演奏対象とされて予約者の意思が反映できないという問題がある。さらに、使用されるパーソナル携帯情報端末はカラオケシステムにおいて必須のツールでなく、常に予約者が当該パーソナル携帯情報端末を携帯しないと機能せず所持忘れ等に対処することができないという問題がある。
【０００６】
そこで、本発明は上記課題に鑑みなされたもので、予約楽曲全体のうちの所定楽曲を一括に演奏対象として特定可能とすると共に、利用者の歌唱意思を即座に反映させることができ、しかもこれらを既存のツールで可能とするカラオケシステムを提供することを目的とする。
【課題を解決するための手段】
【０００７】
上記課題を解決するために、請求項１の発明では、利用者が選曲したカラオケ楽曲が予約待ち行列にしたがってカラオケ演奏されるカラオケシステムであって、前記カラオケ楽曲の歌唱に使用される所定数のマイクにはマイクＩＤが関連付けられたものであり、予約楽曲登録手段、使用マイク判別手段及び演奏楽曲特定手段を有し、前記予約楽曲登録手段は、前記マイクＩＤが附帯されて選択された楽曲を前記予約待ち行列に登録し、前記使用マイク判別手段は、使用状態の前記マイクを検出して当該マイクのマイクＩＤを判別し、前記演奏楽曲特定手段は、前記予約待ち行列における前記判別されたマイクＩＤが附帯された楽曲を演奏対象とさせる、構成とする。
【０００８】
請求項２、３の発明では、「前記使用マイク判別手段は、配置されたマイク入力端子にそれぞれ接続された前記マイクの通電の有無により使用状態のマイクを検出して当該マイクのマイクＩＤを判別する」構成であり、
「前記使用マイク判別手段は、前記マイクが使用状態となったときに送信される搬送波の周波数を検出して当該マイクのマイクＩＤを判別する」構成である。
【発明の効果】
【０００９】
本発明によれば、マイクＩＤが関連付けられたマイクが配置され、マイクＩＤが附帯されて選択された楽曲を予約待ち行列に登録する一方で、使用状態のマイクを検出して当該マイクのマイクＩＤを判別し、予約待ち行列における当該判別されたマイクＩＤが附帯された楽曲を演奏対象とさせる構成とすることにより、使用状態のマイクのマイクＩＤから予約楽曲全体のうちの対応楽曲を一括に演奏対象として特定することができると共に、マイクを使用状態とさせるか否かで楽曲を演奏対象とするか否かを決定できることから利用者の歌唱意思を即座に反映させることができ、しかもこれらをマイクというカラオケシステムの既存の必須ツールで可能とすることができるものである。
【発明を実施するための最良の形態】
【００１０】
以下、本発明の最良の実施形態を図により説明する。本実施形態では、本発明のカラオケシステムを車載用に適用させた場合を示すが、カラオケボックス等で利用者毎にマイクＩＤが関連付けられたマイクを用意させた場合にも適用することができるものである。
【００１１】
図１に、本発明に係るカラオケシステムの第１実施形態のブロック構成図を示す。図１において、車載用としてのカラオケシステム１１は、利用者が選曲したカラオケ楽曲の演奏データに基づきカラオケ演奏を行うものとして、カラオケ演奏装置１２と、当該カラオケ演奏装置１２に接続される表示部１３、マイク入力端子１４、スピーカ１６、及びリモコン装置１７が接続される。当該マイク入力端子１４の入力端子（Ｍ１〜Ｍ４）にはそれぞれのマイク１５Ａ，１５Ｂ，１５Ｃ，１５Ｄが接続される。
【００１２】
ここで、上記表示部１３は、楽曲選曲表示やカラオケ演奏時の映像、歌詞テロップを表示するもので、後述の操作パネル３３と連動するユーザインタフェース機能を備える。上記ユーザインタフェース機能としては、例えば液晶ディスプレイ（ＬＣＤ）とタッチセンサとを積層して入出力用とし、表示されるアイコン等に対応して当該タッチセンサにより楽曲の選択などのデータを入力することができるＧＵＩである。
【００１３】
上記マイク入力端子１４は、車内の所定位置、例えば座席毎の位置にそれぞれ配置した入力端子Ｍ１〜Ｍ４で構成される（図２で説明する）。それぞれの入力端子Ｍ１〜Ｍ４には、有線式のマイク１５Ａ〜１５Ｄが接続される。当該マイク１５Ａ〜１５Ｄには、図示しないマイクスイッチ若しくは専用スイッチが設けられ、歌唱時にスイッチがオン状態とされたときに使用状態となる。
【００１４】
上記マイク１５Ａ〜１５Ｄの形態としては、例えば、ヘッドセットマイク、ピンマイク、ヘッドレストマイク、ハンドマイクが使用可能である。図１では、これらマイク１５Ａ〜１５ＤのマイクＩＤを「Ａ」〜「Ｄ」として示すが、例えば後述の図２及び図３に示すように、マイク１５Ａ〜１５Ｄには当該マイクＩＤ「Ａ」〜「Ｄ」に対応した識別色が設けられる。
【００１５】
上記スピーカ１６は、演奏信号及び何れかのマイク１５Ａ〜１５Ｄから入力される歌唱音声信号が出力される。上記リモコン装置１７は、その構成は公知のもので十分であり、専ら歌唱楽曲を選曲や、歌唱中のキー設定、エコー設定等を行うためのものである。
【００１６】
上記カラオケ演奏装置１２は、バス２１、中央制御部２２、ＲＯＭ２３、ＲＡＭ２４、楽曲データ記憶部である楽曲ＤＢ（楽曲データベース）２５、楽曲検索手段２６、演奏楽曲特定手段２７、再生制御部２８、音楽曲出力部２９、ミキシングアンプ３０、使用マイク判別手段３１、操作入力ＩＦ（インタフェース）３２、操作パネル３３、受信部３４、予約楽曲登録手段３５及び履歴記憶部３６を適宜備える。
【００１７】
上記中央制御部２２は、このシステムを統括的に処理制御する物理的なＣＰＵであり、ＲＯＭ２３に記憶されているプログラムに基づくアルゴリズム処理を行う。上記ＲＡＭ２４は、種々のプログラムを展開、実行させるための作業領域としての役割をなすと共に、所定のメモリ領域に予約楽曲を順次登録する予約待ち行列２４Ａが形成されるもので、例えば半導体メモリで構成され、仮想的にハードディスク上に構築される場合をも含む概念である。
【００１８】
上記楽曲ＤＢ２５は、楽曲コードで管理される所定数の楽曲データファイルを記憶しておくデータベースである。上記楽曲検索手段２６は、上記表示部１３（操作パネル３３）からの入力によって利用者に楽曲を検索させて選曲するためのプログラムでＲＡＭ２４に展開されて実行されるもので、利用者の使用するマイク１５Ａ〜１５ＤのマイクＩＤが附帯される（図３（Ａ）で説明する）。ここで、上記予約楽曲登録手段３５は、利用者が上記マイクＩＤを附帯させて選択した楽曲を予約待ち行列２４Ａに順次登録させるプログラムであり、ＲＡＭ２４に展開されて実行される。また、当該予約楽曲登録手段３５は、過去に演奏されて履歴記憶部３６に記憶された楽曲を、単曲若しくは一括で予約待ち行列２４Ａに登録させる機能をも備える。
【００１９】
上記演奏楽曲特定手段２７は、上記予約待ち行列２４Ａにおける後述の使用マイク判別手段３１で判別されたマイクＩＤが附帯された楽曲を演奏対象とさせるプログラムであり、ＲＡＭ２４に展開されて実行される（予約待ち行列及び演奏対象については、図３（Ｂ）で説明する）。なお、当該演奏楽曲特定手段２７は、予約待ち行列２４Ａのうち、演奏が終了した楽曲の予約カラムを削除する。
【００２０】
上記再生制御部２８は、演奏時に、楽曲ＤＢ２５より抽出された楽曲データのうちの背景映像データ及び歌詞テロップデータ（歌詞文字データ）を当該楽曲の演奏データに同期させて表示部１３に出力する電子回路である。上記音楽曲出力部２９は、楽曲コードで楽曲ＤＢ２５より抽出された演奏データをデジタル再生し、アナログ変換してミキシングアンプ３０に出力する電子回路である。当該ミキシングアンプ３０は、マイク入力端子１４を介して送られてくる所定のマイク１５Ａ〜１５Ｄより入力した歌唱者の歌唱音声信号と、当該音楽曲出力部２９より送られてくる演奏信号とをミキシングし、増幅してスピーカ１６より出力させるものである。
【００２１】
上記使用マイク判別手段３１は、マイク入力端子１４に接続された各マイク１５Ａ〜１５Ｄのうちの使用状態のマイクを検出して当該マイクのマイクＩＤを判別して演奏楽曲特定手段２７に送出するプログラムであり、ＲＡＭ２４に展開されて実行される。ここではマイク入力端子１４に接続されたマイク１５Ａ〜１５Ｄのうち、マイクスイッチがオン若しくは専用スイッチがオンとなったマイクを入力端子Ｍ１〜Ｍ４の通電の有無で検出し、入力端子Ｍ１〜Ｍ４との関係から図示しないテーブルによりマイクＩＤを判別することとしている。
【００２２】
上記操作入力ＩＦ３２は、操作パネル３３及びリモコン装置１７からの送信信号を受信する受信部３４からの入力信号に対して整合性をとるためのプログラムないし電子回路である。当該操作パネル３３は、上記表示部１３のユーザインタフェース機能と連動して、エコーや左右バランス、スピーカ１６からの出力音量のボリウムの他、歌唱楽曲を選曲する操作ボタン等を含んだものである。上記履歴記憶部３６は、過去に演奏された楽曲に対してマイクＩＤを附帯させて記憶しておくメモリ、若しくはハードディスクである。
【００２３】
ここで、図２に、図１におけるカラオケシステムの車内配置の説明図を示す。図２において、例えば乗用車４１には４つの座席があるものとして、ハンドル４２のある位置が運転者の座席となる。この乗用車４１の前方に、例えばカラオケ演奏装置１２が設けられ、その近傍に表示部１３が配置される。また、前方（後方又は前方と後方）にスピーカ１６が配置される。さらに、車内にはリモコン装置１７が置かれる。
【００２４】
そして、各座席に対応した側部にマイクＩＤが関連付けられたマイク１５Ａ〜１５Ｄの接続がそれぞれ専用となるマイク入力端子１４を構成する各入力端子Ｍ１〜Ｍ４がそれぞれ配置される。なお、各入力端子Ｍ１〜Ｍ４の配置を、例えば天井や座席シート部分（背もたれ、ヘッドレスト、アームレスト、前席にあってはダッシュボード、後席にあっては前席の背もたれやヘッドレスト）としてもよい。
【００２５】
例えば、前部右座席（運転席）に対して入力端子Ｍ１、前部左座席（助手席）に対して入力端子Ｍ２、後部右座席に対して入力端子Ｍ３、後部左座席に対して入力端子Ｍ４が配置される。そして、運転席の入力端子Ｍ１には例えばクリップ止め自在のピンマイク１５Ａ（マイクＩＤ「Ａ」）が接続され、各入力端子Ｍ２〜Ｍ４にはそれぞれハンドマイク１５Ｂ〜１５Ｄ（マイクＩＤ「Ｂ」〜「Ｄ」）が接続される。そして、楽曲予約時にマイク１５Ａ〜１５Ｄを利用者に識別させるために、例えばピンマイク１５Ａには「赤」の識別色、ハンドマイク１５Ｂには「黄」の識別色、ハンドマイク１５Ｃには「緑」の識別色、ハンドマイク１５Ｄには「青」の識別色がそれぞれ付されている。
【００２６】
また、図３に、図１における楽曲予約表示画面及び予約管理手段における予約待ち行列の説明図を示す。図３（Ａ）は、楽曲予約のための画面が表示部１３上に表示された場合を示しており、所定の搭乗者が例えば表示部１３（操作パネル３３）を用いて楽曲検索手段２６の機能により所定の楽曲を検索し、又は他の同乗者に検索させて歌唱楽曲が選曲される際、例えば歌手名、曲名等で表示されると共に、当該画面において、歌唱者の使用するマイク１５Ａ〜１５Ｄが識別色ＣＬで選択される。当該識別色ＣＬがマイクＩＤ「Ａ」〜「Ｄ」に対応する。
【００２７】
上記選曲された楽曲は、図３（Ｂ）に示すように、予約楽曲登録手段３５がＲＡＭ２４に形成した予約待ち行列２４Ａに登録する。ここでは、予約された楽曲のそれぞれをデフォルト状態として予約待ち行列２４Ａの総ての予約カラムの楽曲を演奏の対象とする演奏フラグを「１」とし、判別された使用状態のマイクのマイクＩＤ以外のマイクＩＤに対応した予約カラムの演奏フラグが「１」とされる。そして、演奏開始のときに当該予約待ち行列の演奏フラグが参照されるものである。
【００２８】
そこで、図４に図１の予約楽曲の演奏対象処理のフローチャートを示すと共に、図５に図１の予約楽曲の演奏対象処理の説明図を示す。図４では、図３に示すように、予約楽曲登録手段３５において、上記楽曲検索手段２６により、若しくは履歴記憶部３６より選択された楽曲が予約待ち行列２４Ａ（演奏フラグが総て「１」）で登録管理されていることを前提としている。
【００２９】
そして、使用マイク判別手段３１が、マイク入力端子１４に接続されたマイク（１５Ａ〜１５Ｄ）のうちの、例えばマイクスイッチがオン状態とされた使用状態のマイク（１５Ａ〜１５Ｄ）を接続された入力端子（Ｍ１〜Ｍ４）の通電の有無で検出し、検出された当該使用状態のマイク（１５Ａ〜１５Ｄ）のマイクＩＤを判別して演奏楽曲特定手段２７に送出する（ステップ（Ｓ１））。
【００３０】
例えば、運転者のマイク１５Ａのみがオン状態とされた使用状態である場合には、使用マイク判別手段３１においてマイク１５Ａが接続された入力端子Ｍ１を、その通電の有無で検出し、検出した当該マイク１５ＡのマイクＩＤ「Ａ」を判別して演奏楽曲特定手段２７に送出する。
【００３１】
演奏楽曲特定手段２７では、予約待ち行列２４Ａのうちの、取得したマイクＩＤ以外のマイクＩＤに該当する予約コラムの演奏フラグを一括で「０」に変更する（Ｓ２）。例えば、図５（Ａ）に示すように、予約待ち行列２４Ａの総ての予約カラムのうち、判別されたマイクＩＤ「Ａ」以外のマイクＩＤ「Ｂ」〜「Ｄ」の予約カラムの演奏フラグを一括で「０」に変更する。
【００３２】
そこで、当該演奏楽曲特定手段２７が、演奏開始に応じて予約待ち行列の演奏フラグが「１」の楽曲のみを順番に特定し、該当の楽曲を楽曲ＤＢ２５より抽出して背景映像データ及び歌詞テロップデータを再生制御部２８に送出させ、音楽曲データを音楽曲出力部２９に送出させることで演奏が行われる（Ｓ３）。
【００３３】
上記使用マイク判別手段３１では、マイクが使用状態であるか否かをマイク入力端子Ｍ１〜Ｍ４の通電の有無で常に監視しており、マイク１５Ａの他に、例えばマイク１５Ｂがスイッチオン状態となって使用状態になった場合には、入力端子Ｍ２の通電状態でマイク１５Ｂが検出されて当該マイク１５ＢのマイクＩＤ「Ｂ」が判別され、演奏楽曲特定手段２７においてマイクＩＤが「Ｂ」の予約カラムの演奏フラグを一括で「０」から「１」に変更する（Ｓ１、Ｓ２）。すなわち、演奏対象でないマイクＩＤ「Ｂ」の予約カラムが一括で演奏対象に復活したものとなる。この状態では、図５（Ｂ）に示すように、マイクＩＤが「Ａ」と「Ｂ」の予約カラムの演奏フラグが「１」となって演奏対象とされる（Ｓ３）。
【００３４】
そして、予約待ち行列２４Ａの予約カラムで演奏フラグが「１」の総ての楽曲が演奏終了されるまで繰り返されるものである（Ｓ４）。なお、演奏中の楽曲に対して前の演奏順の予約カラムにおけるマイクＩＤが判別されて演奏フラグが「１」とされた場合には、演奏された楽曲の予約カラムが削除されることから、順番の若い演奏フラグ「１」の楽曲に戻って順番に演奏させることとすればよい。
【００３５】
このように、使用状態のマイク１５Ａ〜１５ＤのマイクＩＤ「Ａ」〜「Ｄ」から予約楽曲全体のうちの対応楽曲を一括に演奏対象として特定することができると共に、マイク１５Ａ〜１５Ｄを使用状態とさせるか否かで楽曲を演奏対象とするか否かを決定できることから利用者が予約楽曲の歌唱を望まないときには対応するマイクをスイッチオフさせることで演奏されないこととなって当該利用者の歌唱意思を即座に反映させることができ、しかもこれらをマイクというカラオケシステムの既存の必須ツールで可能とすることができるものである。
【００３６】
次に、図６に本発明に係るカラオケシステムの第２実施形態のブロック構成図を示す。図６に示す車載用としてのカラオケシステム１１は、上述のマイク入力端子１４及び使用マイク判別手段３１に代えて、当該使用マイク判別手段３１を含むマイク受信部３７を備えたもので、使用されるマイクとしてマイクＩＤ「Ａ」〜「Ｄ」を送信する無線式のマイク１５Ａ〜１５Ｄが配置される。すなわち、マイク１５Ａ〜１５Ｄはスイッチオンにより稼働状態となったときにマイクＩＤ「Ａ」〜「Ｄ」をマイク受信部３７に送出するものである。他の構成は図１と同様であり、説明を省略する。
【００３７】
上記マイク１５Ａ〜１５Ｄは、例えば利用者において専用となり、それぞれはスイッチオンにより使用状態となったときにマイク受信部３７に対してそれぞれ周波数の異なる搬送波がマイクＩＤとして発信される。上記マイク受信部３７は、所定のマイク１５Ａ〜１５Ｄのうちの所定のマイクが使用状態となったときに発信されてきた搬送波を受信することにより、使用マイク判別手段３１が受信した搬送波で使用状態のマイクとして検出し、当該搬送波の周波数でマイクＩＤ「Ａ」〜「Ｄ」が判別して演奏楽曲特定手段２７に送出されると共に、該当マイクからの歌唱音声信号をミキシングアンプ３０に送出するプログラム及び電子回路である。
【００３８】
すなわち、マイク受信部３７が使用状態のマイクからの搬送波を受信することにより、使用マイク判別手段３１において当該搬送波より使用状態のマイクを検出し、その周波数でマイクＩＤを判別するもので、演奏楽曲特定手段２７が、図５に示すように、判別されたマイクＩＤ以外のマイクＩＤの予約カラムの演奏フラグを一括で「０」とさせ、演奏フラグ「１」の総ての楽曲を順番に演奏させるものである。
【００３９】
このように、使用されるマイクが無線式であっても、上記同様に、使用状態のマイク１５Ａ〜１５ＤのマイクＩＤ「Ａ」〜「Ｄ」から予約楽曲全体のうちの対応楽曲を一括に演奏対象として特定することができると共に、マイク１５Ａ〜１５Ｄを使用状態とさせるか否かで楽曲を演奏対象とするか否かを決定できることから利用者が予約楽曲の歌唱を望まないときには対応するマイクをスイッチオフさせることで演奏されないこととなって当該利用者の歌唱意思を即座に反映させることができ、しかもこれらをマイクというカラオケシステムの既存の必須ツールで可能とすることができるものである。
【産業上の利用可能性】
【００４０】
本発明のカラオケシステムは、カラオケボックスの他に、自家用車や商用車（トラック、バスなど）の自動車、列車、飛行機、船舶内で設置されるカラオケシステムに利用可能である。
【図面の簡単な説明】
【００４１】
【図１】本発明に係るカラオケシステムの第１実施形態のブロック構成図である。
【図２】図１におけるカラオケシステムの車内配置の説明図である。
【図３】図１における楽曲予約表示画面及び予約管理手段における予約待ち行列の説明図である。
【図４】図１の予約楽曲の演奏対象処理のフローチャートである。
【図５】図１の予約楽曲の演奏対象処理の説明図である。
【図６】本発明に係るカラオケシステムの第２実施形態のブロック構成図である。
【００４２】
１１            カラオケシステム
１２            カラオケ演奏装置
１４            マイク入力端子
１５Ｎ          マイク
２７            演奏楽曲特定手段
３１            使用マイク判別手段
３５            予約楽曲登録手段
３６            履歴記憶部
３７            マイク受信部
４１            乗用車
【図１】
2008250125.tif 000003
【図２】
2008250125.tif 000004
【図３】
2008250125.tif 000005
【図４】
2008250125.tif 000006
【図５】
2008250125.tif 000007
【図６】
2008250125.tif 000008